(57)【要約】【課題】駆動スプロケットを軸方向に移動可能にするボールスプライン機構の案内面上に摩耗粉などの異物が侵入することを防止または抑制して、軸方向での駆動スプロケットの移動の円滑性を向上させる。【解決手段】変速装置は、案内溝36，37に収容されるボール33を介して内筒31と一体に回転可能であると共に軸方向に移動可能な外筒32を備えるボールスプライン機構30と、外筒32と一体に運動する駆動スプロケット39に巻き掛けられたチェーンＣを複数の変速スプロケット41〜47の間で掛け換えるディレイラ70とを備える。内筒31および該外筒32は、外筒32をボール33を介して軸方向に移動可能に案内する案内溝36，37の案内面Ｓ１，Ｓ２を有し、外筒32には、軸方向での駆動スプロケット39の位置に無関係に案内面Ｓ１，Ｓ２の径方向外方を覆うダストカバー150が設けられる。【選択図】図５
2006097800.tif 000002
【特許請求の範囲】
【請求項１】
回転軸と一体に回転可能なインナ部材および前記インナ部材に対して径方向外方に配置されて前記インナ部材と一体に回転可能であると共に前記インナ部材に対して軸方向に移動可能なアウタ部材を備えるスライド機構と、前記アウタ部材と一体に運動する第１スプロケットと、軸方向に配列された複数の第２スプロケットと、前記第１スプロケットに巻き掛けられたチェーンを前記複数の第２スプロケットの間で掛け換える掛換え機構と、を備える変速装置であって、前記掛換え機構による前記チェーンの掛換え時の前記チェーンの軸方向での移動に応じて前記第１スプロケットが前記アウタ部材と共に軸方向に移動する変速装置において、
前記インナ部材は、前記アウタ部材を軸方向に移動可能に案内する案内面を有し、前記アウタ部材には、軸方向での前記第１スプロケットの位置に無関係に前記案内面の径方向外方を覆うダストカバーが設けられることを特徴とする変速装置。
【請求項２】
前記ダストカバーは、前記インナ部材を全周に渡って覆う筒状に形成されており、軸方向での端部に向かって先細になる先細部を有すること特徴とする請求項１記載の変速装置。
【請求項３】
前記ダストカバーは前記アウタ部材とは別個の部材であり、前記ダストカバーの内面には、前記アウタ部材の外面に形成されたアウタ側係合部に係合するカバー側係合部が形成され、前記アウタ側係合部および前記カバー側係合部において、一方の係合部は凸部であり、他方の係合部は凹部であることを特徴とする請求項１または請求項２記載の変速装置。
【請求項４】
前記掛換え機構は、前記複数の第２スプロケットの間でのチェーンの掛換え時に前記チェーンを掛換え先の前記第２スプロケットに案内するガイドプーリを備え、前記ダストカバーは前記ガイドプーリよりも下方に位置し、前記ガイドプーリは、前記回転軸の回転中心線からガイドプーリまでの最短距離が前記第１スプロケットの外径よりも小さい位置に配置されることを特徴とする請求項１から請求項３のいずれか１項記載の変速装置。
【発明の詳細な説明】
【技術分野】
【０００１】
本発明は、チェーンが巻き掛けられるスプロケットを軸方向へ移動可能とするスライド機構を備える変速装置に関し、該変速装置は、例えば自転車に備えられる。
【背景技術】
【０００２】
チェーンが複数の変速スプロケット間で掛け換えられて変速が行われる変速装置として、例えば特許文献１に開示された自転車用の変速装置がある。この変速装置は、クランク軸に駆動連結される駆動スプロケット、軸方向に配列された複数の変速スプロケットおよび駆動スプロケットと変速スプロケットとに掛け渡されるチェーンから構成される変速機構と、複数の変速スプロケットの間でチェーンを掛け換えるディレイラとを備え、変速機構およびディレイラは、変速装置のケース内に収容される。駆動スプロケットは、ディレイラによるチェーンの掛け換え時に、チェーンの軸方向での移動により軸方向に移動する。このため、クランク軸と駆動スプロケットとの間には、駆動スプロケットをクランク軸と一体に回転させると共に、駆動スプロケットをクランク軸に対して軸方向に移動可能にするためのスライド機構が設けられる。このスライド機構は、クランク軸と一体回転可能な内筒と、駆動スプロケットが一体に結合された外筒と、内筒および外筒の間に配置される複数のボールとを備えるボールスプライン機構により構成される。複数のボールは、内筒の外周面および外筒の内周面に軸方向に平行に形成された１対の収容溝に跨って収容される。そして、内筒の収容溝の壁面である案内面に接触して転動するボールが該案内面に案内されることにより、駆動スプロケットが外筒と共に軸方向に移動する。
【特許文献１】特開２００４−１５５２８０号公報
【発明の開示】
【発明が解決しようとする課題】
【０００３】
スプロケットおよびチェーンを備える変速装置においては、スプロケットとチェーンとの噛合いやチェーンとディレイラとの接触により摩耗粉が発生して、摩耗粉が収容溝に侵入することがある。そして、摩耗粉が、スライド機構の収容溝の案内面（壁面）に付着すると、ボールの円滑な転動が阻害されて、軸方向での駆動スプロケットの移動が円滑に行われなくなる。このような収容溝の案内面へ摩耗粉の付着は、変速機構がケース内に収容されている場合は、目視による確認が困難であり、摩耗粉の付着の程度を確認するために頻繁にケースを開けてメンテナンスを行っていた。
【０００４】
本発明は、このような事情に鑑みてなされたものであり、請求項１〜４記載の発明は、第１スプロケットを軸方向に移動可能にするスライド機構の案内面上に摩耗粉などの異物が侵入することを防止または抑制して、軸方向での第１スプロケットの移動の円滑性を向上させると共に、メンテナンスサイクルを延ばすことを目的とする。そして、請求項３記載の発明は、さらに、アウタ部材へのカバーの取付の容易化を図ることを目的とし、請求項４記載の発明は、さらに、変速装置の小型化を図ることを目的とする。
【課題を解決するための手段】
【０００５】
請求項１記載の発明は、回転軸と一体に回転可能なインナ部材および前記インナ部材に対して径方向外方に配置されて前記インナ部材と一体に回転可能であると共に前記インナ部材に対して軸方向に移動可能なアウタ部材を備えるスライド機構と、前記アウタ部材と一体に運動する第１スプロケットと、軸方向に配列された複数の第２スプロケットと、前記第１スプロケットに巻き掛けられたチェーンを前記複数の第２スプロケットの間で掛け換える掛換え機構と、を備える変速装置であって、前記掛換え機構による前記チェーンの掛換え時の前記チェーンの軸方向での移動に応じて前記第１スプロケットが前記アウタ部材と共に軸方向に移動する変速装置において、前記インナ部材は、前記アウタ部材を軸方向に移動可能に案内する案内面を有し、前記アウタ部材には、軸方向での前記第１スプロケットの位置に無関係に前記案内面の径方向外方を覆うダストカバーが設けられる変速装置である。
【０００６】
これによれば、スライド機構の案内面は、軸方向に移動する第１スプロケットの位置に無関係に、ダストカバーにより覆われることから、各スプロケットとチェーンとの噛合いやチェーンとディレイラとの接触により発生する摩耗粉などの異物が案内面上に侵入して案内面に付着することが防止または抑制されるので、アウタ部材と一体に運動する第１スプロケットがチェーンの軸方向での移動により軸方向に移動するとき、その軸方向での移動が案内面に付着した異物により阻害されることが防止または抑制される。
【０００７】
請求項２記載の発明は、請求項１記載の変速装置において、前記ダストカバーは、前記インナ部材を全周に渡って覆う筒状に形成されており、軸方向での端部に向かって先細になる先細部を有するものである。
【０００８】
これによれば、ダストカバーは、インナ部材を全周に渡って覆うので、周方向でのインナ部材の全域で案内面上へ異物の侵入が防止または抑制される。さらに、先細部により軸方向でのダストカバーの開口の面積が減少するので、ダストカバーがアウタ部材と共に軸方向に移動する際に、前記開口からの異物の侵入が抑制される。
【０００９】
請求項３記載の発明は、請求項１または請求項２記載の変速装置において、前記ダストカバーは前記アウタ部材とは別個の部材であり、前記ダストカバーの内面には、前記アウタ部材の外面に形成されたアウタ側係合部に係合するカバー側係合部が形成され、前記アウタ側係合部および前記カバー側係合部において、一方の係合部は凸部であり、他方の係合部は凹部であるものである。
【００１０】
これによれば、ダストカバーの内面に形成されたカバー側係合部である凸部または凹部と、アウタ部材の外面に形成されたアウタ側係合部である凹部または凸部とを係合させることにより、ダストカバーがアウタ部材に取り付けられ、しかもダストカバーをアウタ部材に取り付けるために、別途、取付用部材を使用する必要がない。
【００１１】
請求項４記載の発明は、請求項１から請求項３のいずれか１項記載の変速装置において、前記掛換え機構は、前記複数の第２スプロケットの間でのチェーンの掛換え時に前記チェーンを掛換え先の前記第２スプロケットに案内するガイドプーリを備え、前記ダストカバーは前記ガイドプーリよりも下方に位置し、前記ガイドプーリは、前記回転軸の回転中心線からガイドプーリまでの最短距離が前記第１スプロケットの外径よりも小さい位置に配置されるものである。
【００１２】
これによれば、チェーンの掛換えを行う際、チェーンと接触するために摩耗粉の発生量が比較的多いガイドプーリの付近から落下する摩耗粉が、スライド機構の案内面上に侵入することが、ダストカバーにより防止または抑制されるので、ガイドプーリが、回転軸の回転中心線からガイド部材までの最短距離が第１スプロケットの外径よりも小さい位置に配置されて、第１スプロケットとガイドプーリとが近接して配置される場合にも、摩耗紛の案内面上への侵入が確実に防止または抑制される。
【発明の効果】
【００１３】
請求項１記載の発明によれば、次の効果が奏される。すなわち、ダストカバーによりスライド機構の案内面上への異物の侵入が防止または抑制されるので、第１スプロケットの軸方向への移動の円滑性が向上し、ひいては変速装置の変速切換の円滑性が向上するうえ、メンテナンスサイクルを延ばすことができる。
【００１４】
請求項２記載の発明によれば、引用された請求項記載の発明の効果に加えて、次の効果が奏される。すなわち、周方向でのインナ部材の全域で案内面上への異物の侵入が防止または抑制され、そのうえ軸方向からのダストカバー内への異物の侵入が抑制されるので、案内面上への異物の侵入が防止または一層抑制されるので、第１スプロケットの軸方向への移動の円滑性、ひいては変速装置の変速切換の円滑性が、一層向上する。
【００１５】
請求項３記載の発明によれば、引用された請求項記載の発明の効果に加えて、次の効果が奏される。すなわち、ダストカバーは、ダストカバーおよびアウタ部材に形成された各係合部の凹凸係合により取り付けられるので、ダストカバーの取付が容易化される。しかも、別途、取付用部材を使用する必要がないので、変速装置のコストを削減することができる。
【００１６】
請求項４記載の発明によれば、引用された請求項記載の発明の効果に加えて、次の効果が奏される。すなわち、ダストカバーにより、ガイドプーリの付近からの摩耗粉が案内面上へ侵入することが防止または抑制されて、第１スプロケットの軸方向への移動の円滑性が確保されたうえで、第１スプロケットとガイドプーリとを近接して配置することができるので、変速装置を小型化することができる。
【発明を実施するための最良の形態】
【００１７】
以下、本発明の実施形態を図１ないし図９を参照して説明する。
図１を参照すると、本発明が適用された変速装置Ｔを備える自転車Ｂは、車体フレームＦと、ペダル式のクランク軸12と、変速装置Ｔ、変速後の動力で回転駆動される出力軸15および駆動力伝達機構を含む伝動装置と、を備える。
【００１８】
車体フレームＦは、下端部で前輪Ｗｆを軸支すると共に上端部にハンドル７が取り付けられたフロントフォーク６を操舵可能に支持するヘッドパイプ１と、ヘッドパイプ１から後方斜め下方に延びる左右１対のメインフレーム２と、両メインフレーム２の前端部から後方斜め下方に延びるダウンチューブ３と、両メインフレーム２の後端部とダウンチューブ３の後端部とを連結する左右１対のアンダチューブ４と、各メインフレーム２から延びてサドル８を支持するサドルフレーム５とを備える。
【００１９】
なお、明細書または特許請求の範囲において、軸方向、径方向および周方向とは、それぞれ、回転軸またはクランク軸12の回転中心線の方向、前記回転中心線を中心とする径方向および前記回転中心線を中心とする周方向を意味し、側面視とは、軸方向から見ることを意味し、また上下、前後および左右は、それぞれ変速装置が備えられる自転車Ｂまたは機械の上下、前後および左右と一致する。
【００２０】
両メインフレーム２の後部２ａに設けられたピボット軸９（図３も参照）には、後端部に取り付けられた車軸を介して後輪Ｗｒを軸支する左右１対のスイングアーム10の前端部が揺動可能に支持される。両スイングアーム10は、リヤサスペンション11を介して両メインフレーム２に連結されることで、後輪Ｗｒと共にピボット軸９を中心に上下方向に揺動可能である。
【００２１】
車体フレームＦの下部であって、両メインフレーム２の後部２ａと両アンダチューブ４との間に形成される空間に、変速装置Ｔの変速ケース90、変速機構Ｍ１およびディレイラ70と、変速装置Ｔに回転可能に支持されるクランク軸12および出力軸15とが配置され、車体フレームＦの右側には、前記駆動力伝達機構が配置される。ここで、自転車Ｂの車幅方向（左右方向と一致する。）または軸方向での一側方を左方とするとき、右方は車幅方向または軸方向での他側方である。
【００２２】
図２を併せて参照すると、変速装置Ｔは、周縁部に形成された２つのボス（図２には、第１ケース91のボス91ａが示されている。）がボルト（図示されず）により結合される左右１対の左ケースとしての第１ケース91および右ケースとしての第２ケース92から構成されて密閉またはほぼ密閉された空間である内部93を形成する金属製の変速ケース90を備える。変速ケース90は、第１，第２ケース91，92の周縁部に形成された１対の取付部（図１，図２には、第１ケース91の取付部91ｂが示されている。）においてボルトＢ１により両メインフレーム２および両アンダチューブ４にそれぞれ固定される。
【００２３】
併せて図３，図４を参照すると、運転者により回転駆動されて駆動トルクが入力される入力軸としてのクランク軸12は、変速ケース90の下部を左右方向に貫通して配置される主軸12ａと、変速ケース90の外側に突出した主軸12ａの左右の両端部にそれぞれ結合される１対のクランクアーム12ｂとを備える。主軸12ａは１対の軸受14を介して第１，第２ケース91，92に回転可能に支持される。各クランクアーム12ｂには、ペダル13（図１参照）が回転可能に取り付けられる。
【００２４】
主軸12ａの前方斜め上方には出力軸15が、また主軸12ａのほぼ真上にはピボット軸９が、出力軸15の回転中心線Ｌ２およびスイングアーム10の揺動中心線が互いに平行に、かつクランク軸12の回転中心線Ｌ１に平行になるように、しかもクランクアーム12ｂの回転軌跡内に収まるように配置される。メインフレーム２に固定されるピボット軸９は、第１，第２ケース91，92に内部93に突出して形成されたボス91ｃ，92ｃの貫通孔に挿通されて、第１，第２ケース91，92を支持する。
【００２５】
図４を参照すると、変速ケース90内に収容された出力軸15は、第２ケース92から右方に突出した端部15ａを有し、端部15ａに出力用駆動回転体としての出力用駆動スプロケット17が結合される。図１を併せて参照すると、駆動スプロケット17と後輪Ｗｒに駆動連結された出力用被動回転体としての出力用被動スプロケット18とには可撓性の出力用無端伝動帯としての出力用チェーン19が掛け渡される。そして、駆動スプロケット17、チェーン19および被動スプロケット18は、駆動輪としての後輪Ｗｒを駆動する前記駆動力伝達機構を構成する。
【００２６】
以下、変速装置Ｔを中心にさらに説明する。
図２〜図４を参照すると、変速装置Ｔは、チェーン式の変速機構Ｍ１と、変速機構Ｍ１を変速操作に応じて所望の変速位置へ切り換える変速切換機構Ｍ２と、変速機構Ｍ１および変速切換機構Ｍ２の構成要素である後述するディレイラ70を収容する変速ケース90とを備える。
【００２７】
変速機構Ｍ１は、一方向クラッチ20、スライド機構としてのボールスプライン機構30、駆動スプロケット39、被動スプロケットとしての複数の変速スプロケット41〜47、無端の変速用チェーンＣおよびチェーン案内部材50を備える。駆動スプロケット39は、クランク軸12の主軸12ａに同軸に配置されて、一方向クラッチ20およびボールスプライン機構30を介してクランク軸12に駆動連結される。
【００２８】
図５〜図７を参照すると、一方向クラッチ20は、クランク軸12と一体に回転可能なクラッチインナ21と、クラッチインナ21に対して径方向外方に配置される円筒状のクラッチアウタ22と、クラッチインナ21およびクラッチアウタ22の間に配置されるクラッチ素子としての複数の爪23と、各爪23がクラッチアウタ22の係合部としての複数のラチェット歯27に接触するように爪23に弾発力を付与する弾性部材としてのリング状のバネ24とを備える。
【００２９】
そして、回転軸としてのクランク軸12が正回転方向Ａ０に回転するときにのみ、クラッチアウタ22は、爪23を介してクラッチインナ21に連結されて、クラッチインナ21と一体に回転する。それゆえ、一方向クラッチ20は、クランク軸12の正回転時の回転またはトルクのみを、ボールスプライン機構30を介して第１スプロケットとしての駆動スプロケット39に伝達する。
【００３０】
クラッチインナ21は、主軸12ａに一体成形されて、各爪23を揺動可能に支持する。クラッチアウタ22は、各爪23が係合する複数の鋸歯状のラチェット歯27が形成された内周面を有する円筒状の本体部25と、軸方向で本体部25に隣接して連なると共にボールスプライン機構30と軸方向で重なる円筒状のクラッチ側重合部26とを有し、本体部25および重合部26が一体成形された１つの筒状部材である。
【００３１】
本体部25の最大内径ｄ１（図６参照）は、重合部26の最小内径ｄ２（図７参照）以下であり、各ラチェット歯27は重合部26の内周面よりも径方向内方に位置する。そして、複数のラチェット歯27は、本体部25の内周面に軸方向に平行に延びて軸方向での両端部が軸方向に開放する複数の溝28が形成されることにより形成される。より具体的には、周方向で隣接するラチェット歯27の間の各溝28が、機械加工、好ましくはブローチ加工で本体部25の内周面を加工することにより、本体部25の内周面の軸方向でのほぼ全幅に渡って形成されることにより、複数のラチェット歯27が形成される。したがって、ラチェット歯27が形成される前、すなわちブローチ加工などの機械加工が施される前のクラッチアウタ22の本体部25の最大内径は、最小内径ｄ２以下である。
【００３２】
一方向クラッチ20と共にクランク軸12と駆動スプロケット39との間のトルク伝達経路に配置されるボールスプライン機構30は、クラッチアウタ22と一体に回転可能なインナ部材としての円筒状の内筒31と、内筒31に対して径方向外方に配置されて駆動スプロケット39と一体に運動するアウタ部材としての円筒状の外筒32と、径方向で内筒31と外筒32との間に配置されて、外筒32が内筒31に対して一体に回転可能にかつ軸方向に移動可能となるように内筒31と外筒32とを連結する連結素子としての複数のボール33とを備える。したがって、外筒32は、複数のボール33を介して、内筒31に対して一体に回転可能にかつ軸方向に移動可能に内筒31に連結される。
【００３３】
図２を併せて参照すると、クラッチアウタ22とは別個の部材により構成される内筒31は、主軸12ａの外周に軸受131 を介して回転可能に支持されて、後述する連結ピン100によりクラッチアウタ22と一体に回転可能に連結される。内筒31は、ボール33を軸方向に移動可能に支持する本体部34と、軸方向で本体部34に隣接して連なると共に重合部26と互いに軸方向で重なるスライド側重合部35とを有し、本体部34と重合部35とが一体成形された１つの部材である。
【００３４】
内筒31は、軸方向での両端部にそれぞれ当接するように主軸12ａに軸方向で移動不能に装着される１対のスラスト軸受としての円環状のリング132，133により軸方向に移動不能に主軸12ａに支持される。一方のリング132は、主軸12ａに設けられた環状溝に嵌合する止め輪134に当接するカラー135に当接することにより、そして他方のリング133は、クラッチインナ21に当接することにより、それぞれ軸方向での移動が規制されている。また、外筒32には、駆動スプロケット39がリベットにより一体に結合される。
【００３５】
内筒31の外周面には、ボール33を転動可能に収容して支持すると共に、周方向に移動不能に、かつ軸方向に移動可能に案内する複数の、この実施形態では３つの案内溝36が、内筒31の外周面の軸方向でのほぼ全幅に渡って、周方向に等間隔となるように間隔をおいて、かつ軸方向に平行に延びて形成される。また、外筒32の内周面には、各案内溝36に径方向で対向するように、案内溝36と同数の案内溝37が、周方向に間隔をおいて、かつ軸方向に平行に延びて設けられる。各案内溝37は、案内溝36と同様に、ボール33を転動可能に収容して支持すると共に、周方向に移動不能に、かつ軸方向に平行に移動可能に案内する。径方向で対向する内筒31の案内溝36および外筒32の案内溝37から構成される１対の案内溝36，37には、複数のボール33により構成されるボール列が両案内溝36，37に跨って収容される。
【００３６】
そして、各案内溝36，37は、その両端部36ａ，36ｂにおいて軸方向に開放しており、各案内溝36および各案内溝37は、機械加工、好ましくはブローチ加工で、内筒31の外周面および外筒32の内周面を、それぞれ加工することにより形成される。それゆえ、内筒31においては、本体部34および重合部35に渡って案内溝36および後述する案内面Ｓ１，Ｓ２が形成される。
【００３７】
各案内溝36，37の壁面は、円柱面の一部により構成され、ボール33が転動しつつ軸方向に平行に移動可能に案内する案内面Ｓ１，Ｓ２を構成する。このため、案内溝36，37または案内面Ｓ１，Ｓ２は、ボール33を軸方向に平行に移動可能に案内することにより、外筒32および駆動スプロケット39を軸方向に平行に移動可能に案内する。
【００３８】
そして、外筒32および駆動スプロケット39が、内筒31、一方向クラッチ20およびクランク軸12に対して、軸方向での所定の移動範囲を越えて軸方向に移動するのを規制するために、ボール33が所定の範囲を越えて軸方向で移動することを規制する１対のインナ側ストッパ部26ｂ，137と１対のアウタ側ストッパ部136，138とが、ボールスプライン機構30に設けられる。ここで、前記所定の移動範囲（以下、単に「移動範囲」という。）は、後述するディレイラの揺動範囲で移動するガイドプーリ72またはチェーンＣに対応して、駆動スプロケット39が軸方向に移動する範囲である。
【００３９】
より具体的には、外筒32および駆動スプロケット39の、移動範囲を越える右方への移動は、クラッチアウタ22の重合部26の一部により構成されるストッパ部26ｂおよび外筒32に装着される止め輪により構成されるストッパ部136により規制される。また、外筒32および駆動スプロケット39の、移動範囲を越える左方への移動は、内筒31に装着される止め輪により構成されるストッパ部137および外筒32に装着される止め輪により構成されるストッパ部138により規制される。したがって、各ボール33は、内筒31において、案内溝36または案内面Ｓ１のうち、本体部34に属する部分において、軸方向に移動可能である。
【００４０】
図５，図７〜図９を参照すると、クラッチアウタ22および内筒31は、重合部26と重合部35とにおいて一体に回転可能に、連結部材としての連結ピン100により連結される。重合部26はクラッチアウタ22の左端部22ａを含み、重合部35は内筒31の右端部31ｂを含む。
【００４１】
重合部26は、径方向で、内方に位置する重合部35と外方に位置する外筒32との間に配置されて、軸方向で案内溝36または案内面Ｓ１と重なるように配置される。より具体的には、重合部26は、連結ピン100が設けられる連結部26ａと、径方向で各案内溝36または案内面Ｓ１に対向するストッパ部26ｂとを有する。後述する挿入孔120が形成される連結部26ａは、内筒31の本体部34に一体成形されて周方向で隣接する案内溝36の間に位置する当接部31ｃと当接する位置決め部を兼ねる。すなわち、連結部26ａは、周方向で隣接するストッパ部26ｂの間に位置し、当接部31ｃに当接して内筒31に対する軸方向でのストッパ部26ｂの位置、ひいては軸方向でのクラッチアウタ22の位置を決める。ストッパ部26ｂは、案内溝36または案内面Ｓ１のうち、重合部35に属する部分と軸方向で重なるように配置されて、該部分の径方向外方を覆う。そして、ストッパ部26ｂは、案内溝36内のボール33に当接してボール33の軸方向での移動を規制することにより、外筒32および駆動スプロケット39が移動範囲を越えて軸方向に移動するのを規制し、かつボール33が案内溝36から抜け出るのを防止する。
【００４２】
連結ピン100は、連結部26ａに形成されたクラッチ側挿入空間としての円孔からなる挿入孔120に挿入されるクラッチ側挿入部101と、重合部35に形成されたスライド側挿入空間としてのスリット140に挿入されるスライド側挿入部102とを有する。連結ピン100は、連結ピン100の軸線方向で外径が異なる異径部を有する円柱状のピンであり、挿入部101は小径部により構成され、挿入部102は、挿入部101および挿入孔120の径よりも大径の大径部により構成される。そして、連結ピン100において、挿入部101よりも挿入部102寄りには、挿入部102自体により、挿入孔120に挿入不能な段部103が形成されている。また、挿入部102は、連結ピン100の軸線を挟んで互いに径方向で対向する１対のピン側接触面としての接触平面102aを有する。両接触平面102aは、軸線Ｌ５を含む平面を対称面とすると共に、互いに平行な平面である。
【００４３】
底壁35ａを有する有底の溝であるスリット140は、軸方向での重合部35の端部に形成されて軸方向に開放しており、スリット140を規定する壁面のうちの周方向で対向する１対のスライド側接触面としての接触平面140aを有する。互いに平行な両接触平面140aの距離は、挿入部101の外径および両接触平面102aの距離に等しい。なお、両接触平面102aの距離は、挿入部101の外径よりも大きくてもよい。そして、１対の接触平面102aは、挿入部102がスリット140に挿入された状態で、１対の接触平面140aに面接触する。
【００４４】
そして、クラッチアウタ22と内筒31とは、連結ピン100により以下のようにして連結される。
まず、挿入部101の外径にほぼ等しい径を有する挿入孔120に挿入部101が挿入され、連結ピン100が、各接触平面102aが軸方向に平行になるように位置決めされて、クラッチアウタ22に保持される。その後、クラッチアウタ22と一体になった連結ピン100は、軸方向から、連結ピン100の接触平面102aと内筒31の接触平面140aとを接触させつつ、スリット140に挿入される。そして、一方向クラッチ20およびボールスプライン機構30が主軸12ａに装着されて、クラッチアウタ22、内筒31および外筒32が主軸12ａに同軸に配置された状態で、連結ピン100は、右端部に当接するリング133（図５参照）により、スリット140から軸方向に抜けることが防止される。
【００４５】
それゆえ、外筒32および駆動スプロケット39は、クランク軸12および軸方向に移動不能な内筒31に対して、ボール33を介して一体に回転可能であり、かつ軸方向に移動可能である。そして、クランク軸12、一方向クラッチ20、ボールスプライン機構30および駆動スプロケット39は、運転者がペダルを漕ぐことによりクランク軸12に加えられるトルクを駆動スプロケット39に伝達するトルク伝達機構を構成する。
【００４６】
図２，図５〜図７を参照すると、外筒32には、軸方向での外筒32および駆動スプロケット39の位置に無関係に、径方向に向かって開放する案内溝36，37の案内面Ｓ１，Ｓ２の径方向外方を覆うダストカバー150が設けられる。ダストカバー150は、軸方向での外筒32の両端部からそれぞれ軸方向にさらに張り出して延びた張出部151b，152bに、軸方向での端部151e，152eに向かって先細になる１対の先細部151c，152cを有する。両端部151e，152eの軸方向での間隔、すなわちダストカバー150が設けられたことによる軸方向での案内溝36，37または案内面Ｓ１，Ｓ２の被覆範囲は、駆動スプロケット39が移動範囲で移動するとき、ダストカバー150が、外筒32と協同することにより、案内面Ｓ１，Ｓ２におけるボール33の移動範囲のほぼ全体を常に覆うことができるように設定される。そして、各端部151e，152eにより規定されるダストカバー150の各開口153，154の開口面積は、先細部151c，152cが設けられることにより、先細部151c，152cがない場合に比べて小さくされている。
【００４７】
ダストカバー150は、軸方向で駆動スプロケット39を挟んで外筒32の外周に配置される１対の第１，第２カバー部151，152により構成される。外筒32とは別個の部材である各カバー部151，152は、内筒31を全周に渡って覆う無孔の筒状、ここでは円筒状に形成されており、外筒32の外周面に接触して外筒32を覆う基部151a，152aと、基部151a，152aに連なる張出部151b，152bとを有する。
【００４８】
各カバー部151，152は、合成樹脂により形成されて、保持手段により外筒32に保持される。該保持手段は、各カバー部151，152の基部151a，152aの内面である内周面に形成されたカバー側係合部としての凸部151d，152dと、外筒32の外面である外周面に形成されたアウタ側係合部としての凹部32ａ，32ｂとから構成される。凸部151d，152dは、軸方向での各カバー151，152の端部のうちの基部151a，152a側の端部に形成された周方向に延びる環状の突条により構成され、凹部32ａ，32ｂは、外筒32に軽量化のために形成された開口32ｃの全体が第１カバー151または第２カバー152により覆われる位置に形成された周方向に延びる溝から構成される。そして、凸部151d，152dが凹部32ａ，32ｂに係合することにより、各カバー部151，152が外筒32に装着される。また、第１，第２カバー151，152は、後述するディレイラ70のガイドプーリ72よりも下方に位置する。
【００４９】
図２，図４を参照すると、両ケース91，92にそれぞれ保持される１対の軸受16を介して変速ケース90に回転可能に支持される出力軸15には、外径（すなわち歯先円径）および歯数が異なる複数の、この実施形態では７つの変速スプロケット41〜47からなるスプロケット群40が、出力軸15と一体に回転可能に、かつ同軸に配置されるように、スプラインにより結合される。それゆえ、各変速スプロケット41〜47の回転中心線Ｌ３は、クランク軸12の回転中心線Ｌ１に平行な出力軸15の回転中心線Ｌ２と一致する。そして、第２スプロケットとしての変速スプロケット41〜47は、最低速の１速用の変速スプロケット41から最高速の７速用の変速スプロケット47まで、右方に位置する第２変速ケース90に向かって順次高速になるよう軸方向に配列される。
【００５０】
図３を併せて参照すると、駆動スプロケット39と、スプロケット群40の中から変速切換機構Ｍ２により選択される一つの変速スプロケット41〜47である作動スプロケット（以下、単に「作動スプロケット」という。図２〜図４では、変速スプロケット41または変速スプロケット47が作動スプロケットとなる状態が示されている。）との間に、チェーンＣが掛け渡される。そして、出力軸15は、駆動スプロケット39とチェーンＣを介して駆動連結された作動スプロケットとにより決定される変速比で、クランク軸12により回転駆動される。
【００５１】
図２を参照すると、チェーン案内部材50は、正回転するクランク軸12により駆動されるチェーンＣの張り側に配置されて、該張り側に張力低下などによる撓みが発生したときに、撓んだチェーンＣが駆動スプロケット39と変速ケース90との間に噛み込まれることを防止するチェーン噛込み防止手段を構成する。
【００５２】
チェーン案内部材50は、スプロケット群40の軸方向での幅よりもやや大きな軸方向での幅を有する開口52を形成する案内部51と、各変速スプロケット41〜47から巻き出されるチェーンＣがチェーン軌道の内側に移動するのを規制する規制部53とを備える。撓んだチェーンＣを開口52に整列した状態で案内するために、案内部51は、開口52に対してチェーン軌道の内側寄りに配置される内側案内部51ａと、開口52に対してチェーン軌道の外側寄りに配置されて外側案内部51b1およびローラ51b2を有する外側案内部51ｂとを備える。
【００５３】
図１〜図４を参照すると、変速切換機構Ｍ２は、変速操作機構60と、変速操作機構60による変速操作に応じてスプロケット群40の中でチェーンＣを掛け換える掛換え機構としてのディレイラ70とを備える。チェーンＣは、駆動スプロケット39と、作動スプロケットと、さらに正回転するクランク軸12により駆動されるチェーンＣの弛み側にいずれも配置される後述するガイドプーリ72およびテンションプーリ82とに掛け渡される。
【００５４】
変速ケース90の内部93でディレイラ70に連結される変速操作機構60は、運転者により操作される変速レバーなどで構成される変速操作部材61（図１参照）と、変速操作部材61の動作をディレイラ70に伝達するために変速操作部材61とディレイラ70とを作動連結する操作力伝達部材としての操作ケーブル62とを備える。操作ケーブル62は、車体フレームＦおよび変速ケース90に保持される管状のアウタケーブル62ａと、アウタケーブル62ａの内側に挿入されたインナケーブル62ｂとから構成される。インナケーブル62ｂは、一端部で変速操作部材61に結合され、他端部でディレイラ70に結合される。
【００５５】
図２〜図４を参照すると、クランク軸12の主軸12ａの上方に配置されると共に操作ケーブル62により操作されて駆動スプロケット39に巻き掛けられたチェーンＣを変速スプロケット41〜47の間で掛け換えるディレイラ70は、両ケース91，92に固定された状態で保持されると共にアウタケーブル62ａの保持部71ａが設けられる円筒状の基部71と、変速スプロケット41〜47の間でのチェーンＣの掛換え時に、掛換え先の変速スプロケットである作動スプロケットに巻き掛けられるようにチェーンＣを案内するガイド部材としてのガイドプーリ72と、ガイドプーリ72を回転可能に支持するホルダＨと、基部71とホルダＨとを連結して、変速操作機構60による変速操作に応じてガイドプーリ72を軸方向および回転中心線Ｌ３の径方向に移動させる揺動機構としての１対のリンク73ａ，73ｂを有する平行リンク機構73と、チェーンＣに張力を付与するテンショナ74とを備える。
【００５６】
ホルダＨは、１対のリベット75ａ，75ｂにより連結される第１，第２ホルダ76，77と支持部78とから構成される構成する。ガイドプーリ72は、第１，第２ホルダ76，77に、リベット75ａに外嵌されるカラー78ａと該カラー78ａに回転可能に支持される軸受78ｂとを有する支持部78を介して回転可能に支持される。軸受78ｂのインナ78b1には、後述する１対の第１，第２アーム86，87が圧入により一体に結合される。
【００５７】
図２，図４を参照すると、ボールスプライン機構30および第１，第２カバー151，152の上方に配置されるガイドプーリ72は、クランク軸12の回転中心線Ｌ１からガイドプーリ72までの最短距離が駆動スプロケット32の外径ｄ３（図４参照）よりも小さい位置に配置される。具体的には、前記揺動範囲の全体において、ガイドプーリ72におけるチェーンＣの巻掛け部Ｃ１を少なくとも含んで、ガイドプーリ72のほぼ全体が、回転中心線Ｌ１を中心として駆動スプロケット32の外径ｄを半径とする円内に位置する。
【００５８】
図３を併せて参照すると、第２ホルダ77は、１対のリンク73ａ，73ｂが枢着されて連結される連結部79と、テンションバネ83を収容するバネ収容部80とを有する。平行リンク機構73において、両リンク73ａ，73ｂは、基部71に互いに平行に設けられる１対のピン81ａ，81ｂを介して基部71に枢着され、第２ホルダの連結部に互いに平行に設けられる１対のピン82ａ，82ｂに枢着される。また、ピン81ａとピン82ｂとの間には、引張コイルバネ（図示されず）からなる戻しバネが掛け渡されている。
【００５９】
テンショナ74は、駆動スプロケット39とガイドプーリ72との間でチェーンＣを押圧してチェーンＣに張力を付与するテンションプーリ82と、軸方向で第１，第２ホルダ76，77の間でガイドプーリ72を挟んで配置されてテンションプーリ82を回転可能に支持する第１，第２アーム86，87と、径が異なる２つの捩りコイルバネからなるバネ83ａ，83ｂにより構成されるテンションバネ83とを備える。各バネ83ａ，83ｂは、その弾発力により、回転中心線Ｌ４を中心にテンションプーリ82を図２において時計方向に付勢し、テンションプーリ82をチェーンＣに押し付ける。
【００６０】
そして、平行リンク機構73は、連結部73b1に連結されたインナケーブル62ｂに変速操作部材61からの操作力が作用していない状態では、図２，図３に実線で示される基本位置または最高速位置を占め、作動スプロケットとして変速スプロケット47が選択される。そして、変速操作部材61が操作されて、変速位置に応じた操作力がインナケーブル62ｂに作用すると、平行リンク機構73が、各ピン81ａ，81ｂを揺動中心として揺動し、各変速スプロケット41〜47の歯先円により構成される歯先円群に沿ってガイドプーリ72を移動させる。このとき、両リンク73ａ，73ｂ、両ホルダ76，77、両アーム86，87、テンションプーリ82は、ガイドプーリ72と共に揺動して、作動スプロケットとなる掛換え先の変速スプロケットに向けて軸方向および径方向に移動し、同時に、チェーンＣが掛換え先の変速スプロケットに向けて軸方向に移動する。そして、図２，図３に二点鎖線で示される最低速位置を占めるとき、作動スプロケットとして変速スプロケット41が選択される。
【００６１】
それゆえ、変速操作機構60による操作により、ディレイラ70、より具体的には両リンク73ａ，73ｂ、両ホルダ76，77、ガイドプーリ72、両アーム86，87およびテンションプーリ82は、最高速位置としての第１限界位置および最低速位置としての第２限界位置により規定される揺動範囲において移動可能である。
【００６２】
次に、前述のように構成された実施例の作用および効果について説明する。
運転者によりクランク軸12が正回転方向Ａ０に駆動されているとき、またはクランク軸12が逆回転または停止している状態で自転車Ｂが前進しているとき、変速操作部材61の操作により、ディレイラ70の第１，第２ホルダ76，77、ガイドプーリ72、第１，第２アーム86，87およびテンションプーリ82が、図２〜図４に実線で示される前記基本位置としての最高速位置（ここでは、７速位置）を占めて、スプロケット群40の中で作動スプロケットとして変速スプロケット47が選択され、チェーンＣは、図３，図４に実線で示される位置の駆動スプロケット39と変速スプロケット47とに掛け渡される。正回転するクランク軸12は、一方向クラッチ20およびボールスプライン機構30を介して駆動スプロケット39を回転駆動し、駆動スプロケット39はチェーンＣを介して変速スプロケット47、出力軸15および駆動スプロケット17を、両スプロケット32，47により決定される変速比で回転駆動する。そして、駆動スプロケット17は、チェーン19を介して被動スプロケット18および後輪Ｗｒを回転駆動する。
【００６３】
この最高速位置にある状態から、変速位置を切り換えるために、作動スプロケットとして、より低速の変速スプロケット41〜46、例えば変速スプロケット41を選択するように変速操作部材61が操作されると、インナケーブル62ｂによりディレイラ70の平行リンク機構73が操作されて、平行リンク機構73により第１，第２ホルダ76，77、ガイドプーリ72、第１，第２アーム86，87、テンションプーリ82が軸方向での左方および回転中心線Ｌ３に対して径方向外方に移動して、図２〜図４に二点鎖線で示される最低速位置（ここでは、１速位置）を占める。そして、ガイドプーリ72およびテンションプーリ82と共に左方に移動するチェーンＣが、駆動スプロケット39をクランク軸12の主軸12ａに対して軸方向で左方に移動させ、駆動スプロケット39が図３，図４に二点鎖線で示される位置を占める。このとき、チェーンＣは変速スプロケット41に掛け渡されて、チェーンＣを介して駆動スプロケット39と駆動連結される。
【００６４】
また、この１速位置に対してより高速の変速位置の変速スプロケット42〜47を選択するように変速操作部材61が操作されると、インナケーブル62ｂによりディレイラ70の平行リンク機構73が操作されて、平行リンク機構73により第１，第２ホルダ76，77、ガイドプーリ72、第１，第２アーム86，87、テンションプーリ82が軸方向での右方および回転中心線Ｌ３に対して径方向内方に移動し、ガイドプーリ72およびテンションプーリ82と共に右方に移動するチェーンＣが、駆動スプロケット39を主軸12ａに対して右方に移動させると同時にチェーンＣは選択された変速スプロケット42〜47に巻き掛けられる。
【００６５】
このようにして、変速操作機構60による変速操作に応じて作動するディレイラ70により、変速スプロケット41〜47の間でチェーンＣが掛け換えられて、チェーンＣが掛け渡される選択された作動スプロケットと駆動スプロケット39とにより決定される変速比で自転車Ｂが走行する。
【００６６】
そして、一方向クラッチ20、ボールスプライン機構30および駆動スプロケット39を備える前記トルク伝達機構において、クラッチアウタ22および内筒31は、別個の部材で構成され、それぞれ、互いに軸方向で重なるクラッチ側重合部26およびスライド側重合部35を有し、軸方向に平行な案内溝36は、軸方向での両端部36ａ，36ｂで軸方向に開放して内筒31の外周面に形成され、クラッチアウタ22および内筒31は、重合部26と重合部35とにおいて一体に回転可能に連結され、重合部26は、軸方向で案内溝36と重なるように配置されて、外筒32および駆動スプロケット39が、内筒31およびクランク軸12に対して移動範囲を越えて軸方向に移動するのを規制する。これにより、外筒32と共に駆動スプロケット39を軸方向に移動可能に案内する案内溝36は、内筒31の外周面に、軸方向での両端部36ａ，36ｂが軸方向に開放するように軸方向に平行に形成されることから、軸方向に開放することなく途中で行き止まりになる案内溝に比べて、機械加工による案内溝36の形成が容易になって、溝の加工手段の選択肢が拡大し、案内溝36をコストがより低い加工手段、例えばブローチ加工により加工することが可能になるので、内筒31の加工コストが削減され、ひいては前記トルク伝達機構のコストが削減される。そして、移動範囲を越える外筒32および駆動スプロケット39の軸方向での移動は、クラッチアウタ22の一部であって内筒31が連結される重合部26の一部が軸方向で案内溝36に重なるように配置されることにより規制されるので、両端部36ａ，36ｂが開放する案内溝36に対して重合部26を利用した簡単な構造により駆動スプロケット39の軸方向での移動を規制することができる。
【００６７】
ボールスプライン機構30のボール33は、内筒31と外筒32との間に配置されると共に案内溝36，37に収容されて軸方向に平行に移動可能に案内され、重合部26は、ボール33に当接してボール33の軸方向での移動を規制することにより、外筒32が移動範囲を越えて軸方向に移動するのを規制することにより、案内溝36，37に収容されるボール33を備えるボールスプライン機構30において、ボール33に当接する重合部26により、移動範囲を越える外筒32および駆動スプロケット39の軸方向での移動が規制されると共に、案内溝36からのボール33の抜止めが行われるので、重合部26を利用した簡単な構造により、駆動スプロケット39の軸方向での移動の規制と、ボール33の抜止めとを行うことができる。
【００６８】
クラッチアウタ22は、爪23が係合するラチェット歯27が内周面に形成された本体部25を有し、本体部25の最大内径ｄ１は、重合部26の最小内径ｄ２以下であり、ラチェット歯27は、本体部25の内周面に軸方向に平行に延びて軸方向での両端部が軸方向に開放する溝28が形成されることにより形成されることにより、軸方向に開放することなく途中で行き止まりになる溝28によりラチェット歯27が形成される場合に比べて、機械加工によるラチェット歯27の形成が容易になって、ラチェット歯27の加工手段の選択肢が拡大し、ラチェット歯27をコストがより低い加工手段、例えばブローチ加工で加工することが可能になる。この結果、重合部26を有するクラッチアウタ22において、爪23が係合するラチェット歯27の加工が容易になることで、クラッチアウタ22の加工コストが削減され、ひいては前記トルク伝達機構のコストが削減される。
【００６９】
重合部26と、重合部26よりも径方向内方に配置された重合部35とは、連結ピン100により連結され、連結ピン100は、重合部26に形成された挿入孔120に挿入されるクラッチ側挿入部101と、スリット140に挿入されるスライド側挿入部102とを有し、連結ピン100において挿入部101よりも挿入部102寄りには、挿入孔120に挿入不能な段部103が形成されていることにより、クラッチアウタ22と内筒31とは、それぞれの重合部26および重合部35に形成された挿入孔120およびスリット140に挿入される挿入部101および挿入部102を有する連結ピン100により連結されるので、簡単な構造によりクラッチアウタ22と内筒31とが連結される。そして、連結ピン100には段部103が形成されているので、クラッチアウタ22および内筒31の回転により発生する遠心力が連結ピン100に作用したとき、段部103が重合部26に当接することにより、連結ピン100が径方向外方に移動することが防止される。この結果、簡単な構造により、クラッチアウタ22および内筒31の回転により連結ピン100が内筒31およびクラッチアウタ22から抜け出すことが防止される。
【００７０】
重合部26と、重合部26よりも径方向内方に配置された重合部35とは、連結ピン100により連結され、連結ピン100は、重合部35に形成されたスリット140に挿入される挿入部102を有し、スリット140は、軸方向での重合部35の端部に形成されて軸方向に開放しており、連結ピン100は、スリット140を規定する壁面のうちの周方向で対向する１対の接触平面140aにそれぞれ面接触する１対の接触平面102aを有し、連結ピン100は、軸方向からスリット140に挿入されることにより、連結ピン100と内筒31との間でのトルク伝達が面接触する部分により行われるので、両者の接触部での面圧が減少するうえ、平面による面接触であることにより、簡単な構造によりクラッチアウタ22と内筒31とが連結されると共に連結ピン100の回止めがなされることから、連結ピン100と内筒31およびクラッチアウタ22との相対回転が防止されて、該相対回転による摩耗が防止され、連結ピン100と内筒31およびクラッチアウタ22との間に摩耗による隙間の形成が防止または抑制されるので、クラッチアウタ22と内筒31との一体回転性能を長期に渡って維持できる。また、連結ピン100は内筒31に対して軸方向から挿入されるので、クラッチアウタ22と内筒31との連結ピン100による連結作業が容易になって、クラッチアウタ22と内筒31との連結作業の作業性が向上する。
【００７１】
変速装置Ｔにおいて、ボールスプライン機構30の内筒31は、外筒32を軸方向に移動可能に案内する案内面Ｓ１を有し、外筒32には、軸方向での駆動スプロケット39の位置に無関係に案内面Ｓ１，Ｓ２の径方向外方を覆うダストカバー150が設けられることにより、ボールスプライン機構30の案内溝36，37の案内面Ｓ１，Ｓ２は、軸方向に移動する駆動スプロケット39の位置に無関係に、ダストカバー150により覆われることから、各スプロケット39，41〜47とチェーンＣとの噛合いやチェーンＣとディレイラ70のガイドプーリ72やテンションプーリ82との接触により発生する摩耗粉などの異物が案内面Ｓ１，Ｓ２上に侵入して案内面Ｓ１，Ｓ２に付着することが防止または抑制されるので、外筒32と一体に運動する駆動スプロケット39が、チェーンＣの軸方向での移動により軸方向に移動するとき、その軸方向での移動が案内面Ｓ１，Ｓ２に付着した異物により阻害されることが防止または抑制されて、駆動スプロケット39の軸方向への移動の円滑性が向上し、ひいては変速装置Ｔの変速切換の円滑性が向上するうえ、メンテナンスサイクルを延ばすことができる。
【００７２】
ダストカバー150は、内筒31を全周に渡って覆う筒状に形成されており、軸方向での端部151e，152eに向かって先細になる先細部151c，152cを有することにより、ダストカバー150は、内筒31を全周に渡って覆うので、周方向での内筒31の全域で案内面Ｓ１，Ｓ２上へ異物の侵入が防止または抑制される。さらに、先細部151c，152cにより軸方向でのダストカバー150の開口153，154の面積が減少するので、ダストカバー150が外筒32と共に軸方向に移動する際に、開口153，154からの異物の侵入が抑制されるので、案内面Ｓ１，Ｓ２上への異物の侵入が防止または一層抑制されて、駆動スプロケット39の軸方向への移動の円滑性、ひいては変速装置Ｔの変速切換の円滑性が、一層向上する
ダストカバー150を構成する第１，第２カバー151，152は外筒32とは別個の部材であり、第１，第２カバー151，152の内周面には、外筒32の外周面に形成された凹部32ａ，32ｂに係合する凸部151d，152dが形成され、凸部151d，152dと、外筒32の外面に形成された凹部32ａ，32ｂとを係合させることにより、第１，第２カバー151，152が外筒32に取り付けられるので、第１，第２カバー151，152の取付が容易化され、しかも第１，第２カバー151，152を外筒32に取り付けるために、別途、取付用部材を使用する必要がないので、変速装置Ｔのコストを削減することができる。
【００７３】
ディレイラ70は、変速スプロケット41〜47の間でのチェーンＣの掛換え時にチェーンＣを掛換え先の変速スプロケットに案内するガイドプーリ72を備え、第１，第２カバー151，152はガイドプーリ72よりも下方に位置し、ガイドプーリ72は、クランク軸12の回転中心線Ｌ１からガイドプーリ72までの最短距離が駆動スプロケット39の外径ｄ３よりも小さい位置に配置されることにより、チェーンＣの掛換えを行う際、チェーンＣと接触するために摩耗粉の発生量が比較的多いガイドプーリ72の付近から落下する摩耗粉が、ボールスプライン機構30の案内面Ｓ１，Ｓ２上に侵入することが、ダストカバー150により防止または抑制されることから、ガイドプーリ72が、クランク軸12の回転中心線Ｌ１からガイドプーリ72までの最短距離が駆動スプロケット39の外径ｄ３よりも小さい位置に配置されて、駆動スプロケット39とガイドプーリ72とが近接して配置される場合にも、摩耗紛の案内面Ｓ１，Ｓ２上への侵入が確実に防止または抑制される。この結果、駆動スプロケット39の軸方向への移動の円滑性が確保されたうえで、駆動スプロケット39とガイドプーリ72とを近接して配置することができるので、変速装置Ｔを小型化することができる。さらに、揺動範囲の全体において、ガイドプーリ72におけるチェーンＣの巻掛け部Ｃ１を少なくとも含んで、ガイドプーリ72のほぼ全体が、回転中心線Ｌ１を中心として駆動スプロケット39の外径ｄ３を半径とする円内に位置することにより、変速装置Ｔが一層小型化される。
【００７４】
以下、前述した実施例の一部の構成を変更した実施例について、変更した構成に関して説明する。
アウタ側係合部が凸部により構成され、カバー側係合部が凹部により構成されてもよい。また、ダストカバー150は、外筒32に一体成形されてもよい。また、先細部151c，152cは、端部151e，152eを含むことなく、該端部151e，152eよりも基部151a，152a寄りに形成されてもよい。
ダストカバー150は、周方向での案内面Ｓ１，Ｓ２の位置に対応して少なくとも該案内面Ｓ１，Ｓ２を覆うのに十分な周方向の幅を有する覆い部を有するものであってもよい。このとき、案内溝36，37に等しい数の前記覆い部は、周方向に間隔をおいて設けられる。
【００７５】
変速ケース90は、密閉された内部93を形成することなく、外部に開放する開口が形成された変速ケース90であってもよい。
スライド機構は、連結素子を備えることなく、軸方向に平行に延びる複数の突条および該突条が嵌合する複数の軸方向に平行に延びる溝からなるスプラインであってもよい。連結ピンまたは前記連結部材は、クラッチアウタ22または内筒31に一体成形されてもよい。
【図面の簡単な説明】
【００７６】
【図１】本発明の実施形態を示し、本発明が適用された変速装置を備える自転車の概略の左側面図である。
【図２】図１の変速装置の第２ケースを外した状態での、図４のＩＩ矢視および一部を図５のＩＩ−ＩＩ線断面で示す図である。
【図３】図２のＩＩＩ−ＩＩＩ線断面図であり、ディレイラの一部については断面を示す図である。
【図４】図２のＩＶ−ＩＶ線断面図であり、ディレイラの一部については、ＩＶａ線での断面図である。
【図５】図３の要部拡大図である。
【図６】図５のＶＩ−ＶＩ線断面図である。
【図７】図５のＶＩＩ−ＶＩＩ線断面図である。
【図８】図５のＶＩＩＩ−ＶＩＩＩ線断面図である。
【図９】図２のＩＩＩ−ＩＩＩ線でのボールスプライン機構の内筒の要部断面図である。
【符号の説明】
【００７７】
12…クランク軸、20…一方向クラッチ、22…クラッチアウタ、26…クラッチ側重合部、30…ボールスプライン機構、31…内筒、35…スライド側重合部、36，37…案内溝、39…駆動スプロケット、41〜47…変速スプロケット、70…ディレイラ、90…変速ケース、100…連結ピン、120…挿入孔、140…スリット、150…ダストカバー、
Ｂ…自転車、Ｔ…変速装置、Ｓ１，Ｓ２…案内面、Ｍ１…変速機構、Ｍ２…変速切換機構、Ｃ…チェーン。
【図１】
2006097800.tif 000003
【図２】
2006097800.tif 000004
【図３】
2006097800.tif 000005
【図４】
2006097800.tif 000006
【図５】
2006097800.tif 000007
【図６】
2006097800.tif 000008
【図７】
2006097800.tif 000009
【図８】
2006097800.tif 000010
【図９】
2006097800.tif 000011